(57)【要約】      （修正有）【課題】天秤が回転した場合であっても、ハリスの絡まりを十分に防止することができ、またその使用に制限が無い釣用天秤を提供する。【解決手段】本体１０の一端部側に設けられ、寄せ餌を格納する籠を取り付けるための取付部２より適宜寸法だけ他方の環状部材１１側の位置に、環状部材１１に直接的又は間接的に結留されるハリスに固定された釣針を係合させるための係合部３が配設してある。係合部３は、釣針を係合させるフック状の係合部材３３と、係合部材３３を本体１０に回動自在に連結させる連結部材３２とを具備してある。係合部材３３は条材をフック状に成形してなり、その先端は平坦面でもよいが、他物への係留を防止すべく丸目加工しておく。また、係合部材３３の基端部は環状に成形して環状部３３ａになしてある。【選択図】図１
0003226086.tif 000002
【実用新案登録請求の範囲】
【請求項１】
条材を線分状又はＬ字状に成形してなる本体と、該本体の一端部側に設けられ、寄せ餌を格納させる籠を取り付けるための取付部と、該取付部から前記本体の他端部側へ距離を隔てた位置に設けられ、該他端部から距離を隔てて配設される釣針を着脱可能に係合させる係合部とを備えることを特徴とする釣用天秤。
【請求項２】
条材を線分状又はＬ字状に成形してなる本体と、該本体の一端部側に設けられ、寄せ餌を格納させる籠を取り付けるための取付部と、該取付部より本体の他端部側に設けられ、該他端部から距離を隔てて配設される釣針を着脱可能に係合させる係合部とを備え、
該係合部は前記本体の中心軸周りに回動自在に構成してある
ことを特徴とする釣用天秤。
【請求項３】
前記係合部は、フック状の係合部材と、該係合部材を本体に連結する連結本体と、該連結本体が前記本体の長手方向へ移動することを防止する一対の止部材とを具備しており、
前記連結本体は前記本体に、本体の中心軸周りに回動自在に取り付けてあり、
前記係合部材は連結本体に揺動自在に取り付けてある
請求項２記載の釣用天秤。
【請求項４】
前記連結本体は板状片にて構成してあり、連結本体の少なくとも一ヵ所には、前記本体の外径より適宜寸法大きい内径の環状部が設けてあり、前記本体は当該環状部内を挿通させてある請求項３記載の釣用天秤。
【請求項５】
前記連結本体は、柱状体の両端にそれぞれ環体を柱状体の中心軸周りに回動自在に設けて構成してあり、少なくとも一方の環体の内径は、前記本体の外径より適宜寸法大きくしてあり、前記本体は当該環体内を挿通させてある請求項３記載の釣用天秤。
【請求項６】
前記本体の取付部と係合部との間の寸法は、取付部に取り付ける籠の長さ寸法以上になしてある請求項２から５のいずれかに記載の釣用天秤。
【請求項７】
条材をＬ字状に成形して短寸脚部と長寸脚部とを設けてなる本体と、該本体の角部に設けられ、寄せ餌を格納させる籠を取り付けるための取付部と、前記短寸脚部の先端に設けられた環状部と、前記長寸脚部の長手方向の中途位置に設けられた他の環状部と、前記本体の長寸脚部の先端部に設けられ、前記環状部から他の環状部を通過した先に配設される釣針を着脱可能に係合させる係合部とを備えることを特徴とする釣用天秤。
【請求項８】
前記長寸脚部の取付部と他の環状部との間の寸法は、取付部に取り付ける籠の長さ寸法以上になしてある請求項７記載の釣用天秤。
【考案の詳細な説明】
【技術分野】
【０００１】
本考案は、主に投げ釣を行う際に用いる釣用天秤に関する。
【背景技術】
【０００２】
金属製又はプラスチック製の籠、及び釣針を有する仕掛を用いる所謂籠釣にあっては、コマセと呼ばれる寄せ餌を籠内に収納すると共に、オキアミ又は疑似餌といった適宜の釣餌を釣針に取り付けた後、これら仕掛を水中に投入して籠内の寄せ餌を流出させ、目的の魚を釣針の周囲に寄せることによって、釣針に取り付けた釣餌に魚を食い付かせ、当該魚を釣り上げる。かかる籠釣は、仕掛を遠方へ投げ込む所謂投げ釣りにおいても実施されており、この場合、リールから繰り出される道糸及び釣針を固定したハリスといった糸が絡むことを防止する釣用天秤（以後、単に天秤とも言う。）に、前記籠が取り付けられるようになっている。
【０００３】
図１０及び図１１は従来の釣用天秤の一例を示す正面図であり、図１０は直線型の天秤を、また図１１はＬ字型の天秤をそれぞれ示している。
【０００４】
図１０に示した如く、直線型の天秤１００は、樹脂材又は金属材等にて５０ｃｍ前後の適宜の寸法であって条材状に成形してなる本体１１０を備えており、該本体１１０の両端にそれぞれ、環状部材１１１，１１１が本体１１０の中心軸周りに回動自在に取り付けてある。そして、一方の環状部材１１１には、リールから繰り出される道糸が、また他方の環状部材１１１にはハリスが直接又は紐状のクッション部材を介して結留されるようになっている。
【０００５】
本体１１０の長手方向の中途であって一方の環状部材１１１側の位置には、寄せ餌を格納させる籠（図示せず）を取り付けるための取付部２００が本体１１０の中心軸周りに回動自在に固定してある。この取付部２００は、籠を着脱自在に固定するための固定部材２５０と該固定部材２５０を本体１１０に連結するための連結部材２２０とを具備して構成してある。連結部材２２０は短寸柱状の連結本体２３０の両端にそれぞれ環状体２４０，２４０が連結本体２３０の中心軸周りに回動自在に設けてあり、一方の環状体２４０は本体１１０に外嵌してある。本体１１０の環状体２４０が外嵌された部分の両側には、ビーズ状の止部材２１０，２１０が適宜距離を隔てて固定してあり、両止部材２１０，２１０の間隙に取り付けられた環状体２４０の本体１１０の長手方向への移動を防止してある。一方、前記連結部材２２０の他方の環状体２４０は前述した固定部材２５０が連結してあり、これによって固定部材２５０及び該固定部材２５０に固定された籠は、連結本体２３０の中心軸周り、及び、本体１１０の中心軸周りに回動自在に支持される。
【０００６】
一方、図１１に示した如く、Ｌ字型の天秤１００ａは、針金状の材料を横転Ｌ字状に成形してなる本体１１０ａの両端部にそれぞれ環状部１１１ａ，１１１ａが設けてあり、短寸脚部１１０ｂに設けた環状部１１１ａにはリールから繰り出される道糸が、また他方の環状部１１１ａには例えばハリスが結留されるようになっている。なお、両環状部１１１ａ，１１１ａにクッション部材を貫通させ、該クッション部材の一端は道糸に通じ、他端はハリスに通じるように構成してもよい。
【０００７】
本体１１０ａの角部には、図示しない籠を固定するための固定部２００が取り付けてある。
【０００８】
このような天秤１００，１００ａにあっては、道糸と籠との間の距離、籠とハリスとの間の距離、及び道糸とハリスとの間の距離を各々隔てることができるため、それらが互いに絡まることが防止される。
【０００９】
しかし、投げ釣りにおいては、天秤の先端から釣針までの寸法が、竿の先端から地面又は床面等までの寸法より長くなる場合があり、かかる場合にあっては、フック部を設けた籠を天秤に取り付けておき、当該フック部に釣針を引っ掛けることによって、投げ動作の際に、天秤に取り付けたハリス及び釣針が地面又は床面等に接触することを回避していた。
【００１０】
また、後記する特許文献１には、アーム部と主軸部とを備え、主軸部に籠本体と蓋本体とから成る籠を固定するようになしてあり、前記アーム部には、第１固定ピンと第２固定ピンとをアームの長手方向へ互いに距離を隔てて立設されており、籠本体に第１固定ピンが挿脱可能な第１孔を、また蓋本体に第２固定ピンが挿脱可能な第２孔を、それぞれ設けておき、第１固定ピンを第１孔に、第２固定ピンを第２孔に挿入させた状態で、ハリスを第１固定ピン及び第２固定ピンに掛け回す一方、アーム部と主軸部との間のバネ力に抗して、水溶性リングによってアーム部を籠に固定しておくように構成した天秤が開示されている。
【００１１】
このような籠付きの天秤にあっては、天秤を水中へ投げ入れると、所定時間経過後に、水溶性リングが溶解するため、アーム部と主軸部との間のバネ力によってアーム部が籠から離隔するため、第１固定ピン及び第２固定ピンが第１孔及び第２孔から抜出して、アーム部が元の姿勢に復帰するのに伴って、第１固定ピン及び第２固定ピンに掛け回されたハリスが解けて、長尺のハリスに復帰する。
【先行技術文献】
【特許文献】
【００１２】
【特許文献１】特開２０１２−１５７２４７号公報
【考案の概要】
【考案が解決しようとする課題】
【００１３】
しかしながら、このような従来の天秤にあっては、いずれの構成においても、天秤を投げた際に、当該天秤に固定された籠の回転にハリスが追従するため、ハリスの絡まりを充分に防止し得ない。更に、特許文献１に開示された天秤にあっては、第１固定ピン及び第２固定ピンに掛け回されたハリスが水中で解けずに、絡まってしまうことがあるのに加えて、水溶性リングは複数回使用することができず、予備の水溶性リングを濡らすことができないため、天秤の使用に多くの制限が存在していた。
【００１４】
本考案は斯かる事情に鑑みてなされたものであって、天秤が回転した場合であっても、ハリスの絡まりを十分に防止することができ、またその使用に制限が無い釣用天秤を提供する。
【課題を解決するための手段】
【００１５】
（１）本考案の釣用天秤にあっては、条材を線分状又はＬ字状に成形してなる本体と、該本体の一端部側に設けられ、寄せ餌を格納させる籠を取り付けるための取付部と、該取付部から前記本体の他端部側へ距離を隔てた位置に設けられ、該他端部から距離を隔てて配設される釣針を着脱可能に係合させる係合部とを備えることを特徴とする。
【００１６】
本考案に係る釣用天秤は、条材を線分状又はＬ字状に成形してなる本体と、該本体の一端部側に設けられ、寄せ餌を格納させる籠を取り付けるための取付部とを備えており、例えば本体の一端部に、竿に取り付けたリールから引き出した道糸を結留するとともに、取付部に籠を取り付け、当該籠内に寄せ餌を格納させる。
【００１７】
また、取付部から前記本体の他端部側へ距離を隔てた位置に係合部が設けてあり、本体の他端部から距離を隔てて配設される釣針を係合部に着脱可能に係合させる。
【００１８】
このような釣用天秤においては、係合部に係合させた釣針が固定されたハリスは、係合部及び籠を取り付ける取付部からそれぞれ適宜距離を隔てた位置に保持されるため、釣用天秤が回転した場合であっても、ハリスの絡まりを十分に防止することができる。また、かかる構成の釣用天秤にあっては、水溶性の部分が構成されていないため、その使用に制限が無い。
【００１９】
一方、本体の他端部から釣針までの寸法を略半分にすることができるため、より深い深度で活動する魚を対象とした仕掛を用いて投げ釣りを行う場合であっても、釣針が地面に接触するという不都合を可及的に回避することができる。
【００２０】
（２）本考案の釣用天秤にあっては、条材を線分状又はＬ字状に成形してなる本体と、該本体の一端部側に設けられ、寄せ餌を格納させる籠を取り付けるための取付部と、該取付部より本体の他端部側に設けられ、該他端部から距離を隔てて配設される釣針を着脱可能に係合させる係合部とを備え、該係合部は前記本体の中心軸周りに回動自在に構成してあることを特徴とする。
【００２１】
本考案に係る釣用天秤は、条材を線分状又はＬ字状に成形してなる本体と、該本体の一端部側に設けられ、寄せ餌を格納させる籠を取り付けるための取付部とを備えており、前同様例えば本体の一端部に、竿に取り付けたリールから引き出した道糸を結留するとともに、取付部に籠を取り付け、当該籠内に寄せ餌を格納させる。
【００２２】
更に、本釣用天秤には、前述した取付部より本体の他端部側に設けられ、該他端部から距離を隔てて配設される釣針を着脱可能に係合させる係合部を備えており、本体の他端部に直接的に、又は例えば紐状のクッション部材を介装させて間接的にハリスを結留し、当該ハリスの先端に固定した釣針を着脱可能に係合させる。この係合部は、前記本体の中心軸周りに回動自在に構成してある。
【００２３】
このような釣用天秤においては、本体が回転した場合であっても係合部が回転せず、これによって本体の回転が釣針及びハリスに伝播することが防止されるため、ハリスの絡まりを十分に防止することができる。また、かかる構成の釣用天秤にあっては、水溶性の部分が構成されていないため、その使用に制限が無い。
【００２４】
一方、前同様、本体の他端部から釣針までの寸法を略半分にすることができるため、より深い深度で活動する魚を対象とした仕掛を用いて投げ釣りを行う場合であっても、釣針が地面に接触するという不都合を可及的に回避することができる。
【００２５】
（３）本考案の釣用天秤にあっては、前記係合部は、フック状の係合部材と、該係合部材を本体に連結する連結本体と、該連結本体が前記本体の長手方向へ移動することを防止する一対の止部材とを具備しており、前記連結本体は前記本体に、本体の中心軸周りに回動自在に取り付けてあり、前記係合部材は連結本体に揺動自在に取り付けてあることを特徴とする。
【００２６】
本考案に係る釣用天秤は、係合部はフック状の係合部材を具備しており、この係合部材に釣針を係合させる。かかる係合部材にあっては開口部分が存在するため、本釣用天秤が着水した際に、係合部材に係合させた釣針が当該係合部材から容易に離脱することができる。これによって、釣用天秤及び釣針を含む釣用仕掛が本来の状態に復帰し、釣用仕掛の釣針によって水中の魚を釣り上げることができる。
【００２７】
一方、係合部材は連結本体にて本体に連結されており、本体には連結本体が本体の長手方向へ移動することを防止する一対の止部材が互いに距離を隔てて併設してある。この連結本体は本体に、当該本体の中心軸周りに回動自在に取り付けてあり、これによって、本体が回転した場合であっても係合部が回転することを防止している。
【００２８】
更に本釣用天秤では、係合部材は連結本体に揺動自在に取り付けてある。これによって、投げ釣りにおいて釣用仕掛が飛翔中、本体の姿勢が変化した場合であっても、係合部材の追従を回避し得、ハリスが絡まることを更に防止することができる。
【００２９】
（４）本考案の釣用天秤にあっては、前記連結本体は板状片にて構成してあり、連結本体の少なくとも一ヵ所には、前記本体の外径より適宜寸法大きい内径の環状部が設けてあり、前記本体は当該環状部内を挿通させてあることを特徴とする。
【００３０】
本考案に係る釣用天秤は、連結本体は板状片にて構成してあり、連結本体の少なくとも一ヵ所には、前記本体の外径より適宜寸法大きい内径の環状部が設けてあり、本体は当該環状部内を挿通させてある。これによって、簡単な構成で、連結本体が本体の中心軸周りに回動自在に支持される構成を実現し得、部品コストを廉価にすることができる。
【００３１】
（５）本考案の釣用天秤にあっては、前記連結本体は、柱状体の両端にそれぞれ環体を柱状体の中心軸周りに回動自在に設けて構成してあり、少なくとも一方の環体の内径は、前記本体の外径より適宜寸法大きくしてあり、前記本体は当該環体内を挿通させてあることを特徴とする。
【００３２】
本考案に係る釣用天秤は、連結本体は、柱状体の両端にそれぞれ環体を柱状体の中心軸周りに回動自在に設けて構成してあり、少なくとも一方の環体の内径は、本体の外径より適宜寸法大きくしてあり、本体は当該環体内を挿通させてある。これによって、前同様、簡単な構成で、連結本体が本体の中心軸周りに回動自在に支持される構成を実現し得、部品コストを廉価にすることができる。
【００３３】
一方、他方の環体に前述した係合部材を連結させることによって、係合部材を連結本体を構成する柱状体の中心軸周りに回動自在に支持することができるため、前同様、投げ釣りにおいて釣用仕掛が飛翔中、本体の姿勢が変化した場合であっても、係合部材の追従を回避し得、ハリスが絡まることを更に防止することができる。
【００３４】
（６）本考案の釣用天秤にあっては、前記本体の取付部と係合部との間の寸法は、取付部に取り付ける籠の長さ寸法以上になしてあることを特徴とする。
【００３５】
本考案に係る釣用天秤は、本体の取付部と係合部との間の寸法は、取付部に取り付ける籠の長さ寸法以上になしてあるため、係合部が本体の中心軸周りに回動した場合であっても、当該係合部と籠との接触が回避され、ハリスが絡まることを更に防止することができる。
【００３６】
（７）本考案の釣用天秤にあっては、条材をＬ字状に成形して短寸脚部と長寸脚部とを設けてなる本体と、該本体の角部に設けられ、寄せ餌を格納させる籠を取り付けるための取付部と、前記短寸脚部の先端に設けられた環状部と、前記長寸脚部の長手方向の中途位置に設けられた他の環状部と、前記本体の長寸脚部の先端部に設けられ、前記環状部から他の環状部を通過した先に配設される釣針を着脱可能に係合させる係合部とを備えることを特徴とする。
【００３７】
本考案に係る釣用天秤は、条材をＬ字状に成形して短寸脚部と長寸脚部とを設けてなる本体と、該本体の角部に設けられ、寄せ餌を格納させる籠を取り付けるための取付部と、前記短寸脚部の先端に設けられた環状部とを備えており、この環状部に例えば、竿に取り付けたリールから引き出した道糸等を挿通させるとともに、取付部に籠を取り付け、当該籠内に寄せ餌を格納させる。なお、本体の角部には、本体の角及びその近傍を含む。
【００３８】
更に、本釣用天秤には前記長寸脚部の長手方向の中途位置に設けられた他の環状部と、前記本体の長寸脚部の先端部に設けられた係合部とを備えており、該係合部に、前記環状部から他の環状部を通過した先に配設される釣針を着脱可能に係合させる。ここで、係合部は長寸脚部と一体的に設けてもよく、また長寸脚部と別体として設けてもよい。
【００３９】
例えば、短寸脚部の先端に設けられた環状部には、リールからから引き出した道糸、又は該道糸に連結させた介装具等を挿通させ、長寸脚部の長手方向の中途位置に設けられた他の環状部には、前記道糸又は介装具に連結させたクッション部材又はハリスを挿通させ、このハリスの先端に釣針を固定し、この釣針を前記係合部に係合させる。
【００４０】
このような釣用天秤においては、本体に取り付けた籠が回動した場合であってもハリスに絡まることを十分に防止することができる。また、かかる構成の釣用天秤にあっては、前同様、水溶性の部分が構成されていないため、その使用に制限が無い。
【００４１】
一方、本体の長寸脚部の先端から釣針までの寸法を略半分にすることができるため、より深い深度で活動する魚を対象とした仕掛を用いて投げ釣りを行う場合であっても、釣針が地面に接触するという不都合を可及的に回避することができる。
【００４２】
（８）本考案の釣用天秤にあっては、前記長寸脚部の取付部と他の環状部との間の寸法は、取付部に取り付ける籠の長さ寸法以上になしてあることを特徴とする。
【００４３】
本考案に係る釣用天秤は、本体を構成する長寸脚部の取付部と他の環状部との間の寸法は、取付部に取り付ける籠の長さ寸法以上になしてあるため、籠が回動した場合であっても、当該他の環状部と籠との接触が回避され、ハリス等が絡まることを更に防止することができる。
【図面の簡単な説明】
【００４４】
【図１】本考案に係る釣用天秤の一例を示す正面図である。
【図２】図１に示した係合部の他の構成を示す拡大図である。
【図３】本考案に係る他の釣用天秤を示す正面図である。
【図４】本考案に係る更に他の釣用天秤を示す斜視図である。
【図５】図１に示した釣用天秤の一使用例を示す正面図である。
【図６】図５に示した釣り具によって投げ釣りを実施している状態を示す模式図である。
【図７】図５に示した釣り具によって投げ釣りを実施している状態を示す模式図である。
【図８】図３に示した釣用天秤の一使用例を示す正面図である。
【図９】図４に示した釣用天秤の一使用例を示す部分正面図である。
【図１０】従来の釣用天秤の一例を示す正面図である。
【図１１】従来の釣用天秤の一例を示す正面図である。
【考案を実施するための形態】
【００４５】
本考案に係る釣用天秤を図面に基づいて詳述する。
なお、本形態で説明する天秤は、本考案の趣旨を説明する一例であり、本考案はその趣旨を逸脱しない範囲での変形や改造を含むことはいうまでもない。
【００４６】
図１は本考案に係る釣用天秤の一例を示す正面図であり、図中、１０は強化樹脂を含む樹脂材又は金属材等を条材状に成形してなる本体である。本釣用天秤１の本体１０の長さ寸法は適宜でよいが、例えば５０ｃｍ前後にすることができる。
【００４７】
本体１０の両端にはそれぞれ、環状部材１１，１１が本体１０の中心軸周りに回動自在に取り付けてあり、一方の環状部材１１には、リールから繰り出される道糸が、また他方の環状部材１１にはハリスが、直接又は紐状のクッション部材を介して結留されるようになっている。
【００４８】
本体１０の長手方向の中途であって前記一方の環状部材１１側の位置には、後述する籠を取り付けるための取付部２が本体１０の中心軸周りに回動自在に固定してある。この取付部２は、籠を着脱自在に固定するための固定部材２５と該固定部材２５を本体１０に連結するための連結部材２２とを具備して構成してある。連結部材２２は短寸柱状の連結本体２３の両端にそれぞれ環状体２４，２４が連結本体２３の中心軸周りに回動自在に設けてあり、一方の環状体２４は本体１０に外嵌してある。本体１０の環状体２４が外嵌された部分の両側には、ビーズ状の止部材２１，２１が互いに適宜距離を隔てて固定してあり、両止部材２１，２１の間隙に取り付けられた環状体２４の本体１０の長手方向への移動を防止してある。一方、前記連結部材２２の他方の環状体２４には前述した固定部材２５が連結してあり、これによって固定部材２５及び該固定部材２５に固定された籠は、連結本体２３の中心軸周り、及び、本体１０の中心軸周りに回動自在に支持される。
【００４９】
また、本体１０の長手方向の中途であって前記取付部２より適宜寸法だけ他方の環状部材１１側の位置には、当該他方の環状部材１１に直接的又は間接的に結留されるハリスに固定された釣針を回動自在に係合させるための係合部３が配設してある。この係合部３は、前記釣針を係合させるフック状の係合部材３３と、該係合部材３３を本体１０に回動自在に連結させる連結部材３２とを具備して構成してある。係合部材３３は条材をフック状に成形してなり、その先端は平坦面でもよいが、他物への係留を防止すべく丸目加工しておくとよい。また、係合部材３３の基端部は環状に成形して環状部３３ａになしてある。
【００５０】
一方、連結部材３２は略長方形板状の連結本体３２ａを具備している。この連結本体３２ａの両端近傍にそれぞれ環状部３２ｂ，３２ｂが設けてあり、一方の環状部３２ｂ内には本体１０が遊貫させてある。本体１０の連結本体３２ａが外嵌された部分の両側には、柱片状の止部材３１，３１が互いに適宜距離を隔てて固定してあり、両止部材３１，３１の間隙に取り付けられた連結本体３２ａが本体１０の長手方向へ移動することが防止されている。
【００５１】
前述した連結本体３２ａの他方の環状部３２ｂには、係合部材３３の環状部３３ａが挿通してある。他方の環状部３２ｂの内径は係合部材３３の環状部３３ａを構成する条材の外径より大きくしてあり、これによって係合部材３３は、環状部３３ａの周方向へ揺動自在に、また、連結本体３２ａの中心軸周りに所定範囲内で回動自在になしてある。加えて、前述した如く連結本体３２ａの環状部３２ｂ内には本体１０が遊貫させてあるため、連結本体３２ａ及びこれに連結した係合部材３３は、本体１０の中心軸周りに回動自在に支持される。
【００５２】
このような天秤１にあっては、係合部３の係合部材３３に、本体１０の他方の環状部材１１に直接的又は間接的に結留したハリスに固定した釣針を係合させるようになっており、係合部材３３に係合された釣針は係合部材３３とともに、本体１０の中心軸周りに回動自在に、また、連結本体３２ａの中心軸周りに所定範囲内で回動自在に支持されるため、天秤１が回転した場合であっても、ハリスの絡まりを十分に防止することができる。また、かかる天秤１は前述したように水溶性の部分は構成されていないため、その使用に制限が無い。
【００５３】
一方、本天秤１にあっては、係合部材３３がフック状に成形してあるため、天秤１が着水した際に、係合部材３３に係合させた釣針が当該係合部材３３から容易に離脱することができる。これによって、天秤１及び釣針を含む釣用仕掛が本来の状態に復帰し、釣用仕掛の釣針によって水中の魚を釣り上げることができる。
【００５４】
ここで、係合部３の本体１０の長手方向における配置は、取付部２に取り付けられる籠が係合部３の係合部材３３に達しない位置にすることが好ましい。これによって、ハリスの絡まりをより防止することができる。また、係合部３の配置は、本体１０の長手方向の中途位置以外にも、本体１０の他端部に、他方の環状部材１１と併設することもできる。
【００５５】
なお、係合部３の構成はこれに限らず、図２に示した如き構成であってもよい。
すなわち、連結部材３２Ｃは短寸柱状の連結本体３２ｃを具備してなり、該連結本体３２ｃの両端にそれぞれ環状体３２ｄ，３２ｄが連結本体３２ｃの中心軸周りに回動自在に設けてある。一方の環状体３２ｄは本体１０に外嵌してある。本体１０の環状体３２ｄが外嵌された部分の両側には、ビーズ状の止部材３１ｂ，３１ｂが適宜距離を隔てて固定してあり、両止部材３１ｂ，３１ｂの間隙に取り付けられた環状体３２ｄが本体１０の長手方向へ移動することを防止してある。一方、前記連結本体３２ｃの他方の環状体３２ｄは前述した係合部材３３が連結してある。
【００５６】
このような連結本体３２ｃを具備する係合部３ａにあっては、係合部材３３及び該係合部材３３に係合された釣針が、連結本体３２ｃの中心軸周り、及び、本体１０の中心軸周りに回動自在に支持される。従って、天秤１が回転した場合であっても、ハリスの絡まりをより防止することができる。
【００５７】
図３は本考案に係る他の天秤を示す正面図であり、天秤１ａの本体１０ａをＬ字型になしてある。なお、図中、図１又は図２に示した天秤１に対応する部分には同じ番号を付してその説明を省略する。
【００５８】
図３に示した如く、本天秤１ａは、針金状の条材を横転Ｌ字状に成形して短寸脚部１０ｂ及び長寸脚部１０ｃを有する本体１０ａを具備してなり、該本体１０ａの両端部にそれぞれ環状部１１ａ，１１ａが設けてある。短寸脚部１０ｂに設けた環状部１１ａにはリールから繰り出される道糸が、また長寸脚部１０ｃに設けた環状部１１ａにはハリスが直接又は紐状のクッション部材を介してそれぞれ結留されるようになっている。また、本体１０の角部には、後述する籠を取り付けるための取付部２が設けてある。
【００５９】
そして、長寸脚部１０ｃの長手方向であって本体１０の角部から適宜距離を隔てた位置に、前述した係合部３が設けてあり、長寸脚部１０ｃに設けた環状部１１ａに直接的又は間接的に結留されたハリスに固定された釣針を、係合部３を構成する係合部材３３に係合させるようになっている。
【００６０】
なお、係合部３は、図３に示した如く、略長方形板状の連結本体３２ａの両端近傍にそれぞれ環状部３２ｂ，３２ｂを設けた場合であってもよいが、図２に示した如く、短寸柱状体の両端にそれぞれ回動自在に環状体３２ｄ，３２ｄを設けた連結本体３２ｃを具備する場合であってもよいことは言うまでもない。
【００６１】
このような天秤１ａにあっては、前同様、係合部３の係合部材３３に、本体１０の他方の環状部１１ａに直接的又は間接的に結留したハリスに固定した釣針を係合させるようになっており、係合部材３３に係合された釣針は係合部材３３とともに、本体１０の中心軸周りに回動自在に、また、連結本体３２ａの中心軸周りに所定範囲内で回動自在に支持されるため、天秤１ａが回転した場合であっても、ハリスの絡まりを十分に防止することができる。また、かかる天秤１ａは前述したように水溶性の部分は構成されていないため、その使用に制限が無い。
【００６２】
図４は本考案に係る更に他の釣用天秤を示す斜視図であり、Ｌ字型の天秤本体に魚重が印加し難いようになしてある。なお、図中、図１〜図３に示した天秤に対応する部分には同じ番号を付してその説明を省略する。
【００６３】
図４に示したように、本天秤１ｃは、前同様、針金状の条材を横転Ｌ字状に成形して短寸脚部１０ｂ及び長寸脚部１０ｃを有する本体１０ａを具備してなるが、この長寸脚部１０ｃの先端部分に係合部３ｃが設けてある。係合部３ｃは、長寸脚部１０ｃの先端部分を、短寸脚部１０ｂと平行な姿勢であって、短寸脚部１０ｂの端部とは反対側に彎曲部を有するフック状に成形してなる係合部分３３ｃを有しており、後述するように該係合部分３３ｃに釣針を係合させるようになっている。
【００６４】
一方、長寸脚部１０ｃの長手方向であって、係合部３ｃ及び図示しない籠を取り付ける取付部２からそれぞれ適宜距離を隔てた位置には、線材を挿通させる挿通部（他の環状部）１１ｂが設けてあり、該挿通部１１ｂには前述したクッション部材等を挿通させるようになっている。ここで、挿通部１１ｂは環材を長寸脚部１０ｃに固着することによって形成しても良いが、長寸脚部１０ｃの一部を螺旋状に成形することによって形成しても良い。後者の場合、製造コストを可及的に廉価にし得るため好適である。なお、挿通部１１ｂは、当該挿通部１１ｂを貫通する中心軸が短寸脚部１０ｂと略平行となるように設けるとよい。また、取付部２と挿通部１１ｂとの間の距離は、取付部に取り付ける籠の長さ寸法以上であると、取付部２に釣り付けた籠が回動した場合であっても、当該挿通部（他の環状部）１１ｂと籠との接触が回避され、ハリス等が絡まることを更に防止することができる。
【００６５】
一方、短寸脚部１０ｂの端部には環状部１１ａが設けてあり、該環状部１１ａ内には後述するようにリールから繰り出される道糸等が挿通されるようになっている。
【００６６】
そして、短寸脚部１０ｂの端部に設けられた環状部１１ａにリールから繰り出される道糸を挿通させ、また、長寸脚部１０ｃに設けた挿通部１１ｂに、前記道糸又は該道糸に連結させたクッション部材を挿通させ、更に、該挿通部１１ｂを挿通させた道糸又はクッション部材に連結させたハリスに固定された釣針を、係合部３を構成する係合部材３３に係合させるようになっている。
【００６７】
このような天秤１ｃにあっては、係合部３ｃを構成する係合部分３３ｃは長寸脚部１０ｃと一体的であるものの、長寸脚部１０ｃに設けた挿通部１１ｂ内に挿通されそこに支持される道糸又はクッション部材に連結させたハリスは、係合部３ｃ及び図示しない籠を取り付ける取付部２からそれぞれ適宜距離を隔てた位置に保持されるため、天秤１ｃが回転した場合であっても、ハリスの絡まりを十分に防止することができる。なお、かかる作用効果は、図３に示した天秤１ａ及び図１に示した天秤１においても同様に奏されている。
【００６８】
一方、天秤１ｃでは前述した如く、短寸脚部１０ｂの端部に設けられた環状部１１ａに、リールから繰り出される道糸を挿通させ、また、長寸脚部１０ｃに設けた挿通部１１ｂに、前記道糸又は該道糸に連結させたクッション部材を挿通させるようになしてあるため、道糸又はクッション部材に連結させたハリスに固定された釣針に魚が掛かった場合であっても、その魚重が天秤１ｃに殆ど印加されない。そのため、魚重による天秤１ｃの変形を回避することができ、より大型の魚を釣り上げることができる。
【００６９】
なお、図４に示した天秤１ｃでは、長寸脚部１０ｃと一体的に係合部分３３ｃを設けた場合について説明したが、本考案はこれに限らず、例えば図３の天秤１ａの如く、長寸脚部１０ｃの先端に設けられた環状部１１ａに図３の係合部材３３を直接又は線状の介装具を介して間接的に、かつ揺動自在に取り付けて係合部３ｃとしてもよい。
【００７０】
なお、以上の形態では直線型の天秤１並びにＬ字型の天秤１ａ及び天秤１ｃについて説明したが、本考案はこれに限らず、弓状に形成してなる本体を含む線分状の天秤、その他種々の形状の本体を有する天秤にも適用できる。
【００７１】
次に、本考案に係る天秤の使用例について説明する。
図５は図１に示した釣用天秤の一使用例を示す正面図である。なお、図５中、図１に示した部分に対応する部分には同じ番号を付してその説明を省略する。
【００７２】
図５に示した如く、適宜寸法の竿Ｒの基端にはリール５０が着脱可能に取り付けてあり、該リール５０のスプールから繰り出された道糸Ｍは、竿Ｒの長手方向へ適宜の間隔で立設された複数の案内部材５１，５１，…内を挿通させて、竿Ｒの先端から延出されている。
【００７３】
竿Ｒから延出された道糸Ｍの先端部近傍の位置には、浮き止め６１，６１が道糸Ｍの長手方向へ互いに距離を隔てて固定してあり、道糸Ｍの両浮き止め６１，６１の間に浮き６０が取り付けられている。そして、道糸Ｍの先端部には例えば図１に示した線分状の天秤１が連結してある。
【００７４】
この天秤１は、その本体１０の取付部２側である一端部に設けられた環状部材１１に、道糸Ｍの先端部を結留して当該道糸Ｍに連結されており、取付部２を構成する固定部材２５に着脱可能に固定された籠８０内には寄せ餌が格納されるようになっている。なお、多くの場合、籠８０には適宜質量の錘が固定してあるが、かかる錘が籠８０に固定されていないときは、取り付け具によって別体の錘を籠８０又は取付部２に取り付けるとよい。
【００７５】
天秤１の本体１０の他端部に設けられた環状部材１１には、紐状のクッション部材７０の一端部が連結具を介して結留してあり、前述した如く本体１０の他端部と取付部２との間に係合部３が設けてある。一方、クッション部材７０の他端部には適宜直径のハリスＨの基端部が連結具を介して結留してあり、このハリスＨの先端部に釣針ＦＨが結留してある。
【００７６】
このような釣用の仕掛にあっては、より深い水中で活動する魚を釣り上げるために、浮き６０の上端から釣針ＦＨまでの寸法Ｌ２を竿Ｒの寸法Ｌ１より長くすることがあるが、かかる場合に、そのままの状態で仕掛を投げようとすると、釣針ＦＨが地面と接触するという不都合が発生する。そこで、本考案に係る天秤１の係合部３を用いて次のように投げ釣りを実施する。
【００７７】
図６及び図７は、図５に示した釣り具によって投げ釣りを実施している状態を示す模式図であり、図６は仕掛を投げる前の状態を、また図７は仕掛を投げた後の状態をそれぞれ示している。なお、両図中、図５に示した部分に対応する部分には同じ番号を付してその説明を省略する。
【００７８】
図６に示した如く、前述した仕掛にあって、係合部３を構成する係合部材３３に釣針ＦＨを係合させておく。これによって、天秤１の先端から釣針ＦＨまでの寸法を半分以下になすことができるため、浮き６０の上端から釣針ＦＨまでの寸法Ｌ２が竿Ｒの寸法Ｌ１より長い場合であっても、多くの場合、釣針ＦＨが地面と接触することを回避することができる。
【００７９】
その状態で、竿Ｒを所定方向へ振ることによって、図７に示した如く、仕掛を遠投する。これに伴って、道糸Ｍがリール５０のスプールから繰り出され、浮き６０、天秤１、籠８０、クッション部材７０並びにハリスＨ及び釣針ＦＨが飛翔するが、天秤１に設けられた係合部３は天秤１の本体１０の中心軸周りに回動自在であるため、本体１０の回転に追従することが防止される。これによって、ハリスＨが絡まることを十分に防止することができる。
【００８０】
このとき、係合部材３３は前述した如く、環状部３３ａの周方向へ揺動自在に、また、連結本体３２ａ（図１参照）の中心軸周りに所定範囲内で回動自在になしてあるため、飛翔中に本体１０の姿勢が変化しても、ハリスＨが絡まることを防止し得、また、係合部材３３に係合させた釣針ＦＨが当該係合部材３３から離脱することが防止される。
【００８１】
なお、図２に示した係合部３ａにあっては前述した如く、係合部材３３は連結本体３２ａの中心軸周り、及び、本体１０の中心軸周りに回動自在であるので、飛翔中の本体１０の姿勢変化に更に対応することができ、従ってハリスＨが絡まることをより防止し得、また、係合部材３３に係合させた釣針ＦＨが当該係合部材３３から離脱することがより防止される（何れも図２参照）。
【００８２】
そして、遠投された仕掛が着水すると、フック状の係合部材３３に係合された釣針ＦＨが当該係合部材３３から容易確実に脱離し、釣針ＦＨは設定された深度まで沈下して行く。
【００８３】
なお、図３に示した天秤１ａを用いる場合、例えば図８に示した如く、本体１０ａの角部に籠８０を取り付ける一方、長寸脚部１０ｃに設けた環状部１１ａにその一端部が結留されたクッション部材７０の他端部にハリスＨを連結する。そして、当該ハリスＨに固定された釣針ＦＨを、係合部３を構成する係合部材３３に係合させる。
【００８４】
これによって、前同様、天秤１ａに設けられた係合部３は天秤１ａの本体１０ａの中心軸周りに回動自在であるため、本体１０ａの回転に追従することが防止される。これによって、ハリスＨが絡まることを十分に防止することができるのに加え、飛翔中に本体１０ａの姿勢が変化しても、ハリスＨが絡まることを防止し得、また、係合部材３３に係合させた釣針ＦＨが当該係合部材３３から離脱することが防止される。
【００８５】
図９は図４に示した天秤１ｃの一使用例を示す部分正面図である。
図９に示した如く、本例にあっては、リールから繰り出される道糸Ｍの端部にクッション部材７０が配設してあり、道糸Ｍとクッション部材７０との間に、介装具が介装してある。介装具は介装用の糸部材９０の両端にそれぞれ、当該糸部材９０の中心軸周りに回動自在な連結部材を結留してなり、糸部材９０には環状部１１ａの内径より大きい外径の止部材９１，９１が糸部材９０の長手方向へ移動可能に外嵌させてある。そして、糸部材９０の両止部材９１，９１の間の領域を短寸脚部１０ｂの端部に設けられた環状部１１ａに挿通させてある。
【００８６】
前述したクッション部材７０は長寸脚部１０ｃに設けた挿通部１１ｂに挿通させてあり、このクッション部材７０の先端に連結部材を介してハリスＨが連結してある。ハリスＨの先端には釣針ＦＨが結留してあり、該釣針ＦＨは長寸脚部１０ｃの先端に設けた係合部３ｃの係合部分３３ｃに係合してある。一方、Ｌ字型の本体１０ａの角部に設けた取付部２に籠８０が取り付けてある。
【００８７】
天秤１ｃを用いたこのような構成にあっては、係合部３ｃを構成する係合部分３３ｃは長寸脚部１０ｃと一体的であるものの、長寸脚部１０ｃに設けた挿通部１１ｂ内に挿通されそこに支持されるクッション部材７０に連結させたハリスＨは、係合部３ｃ及び籠８０を取り付けた取付部２からそれぞれ適宜距離を隔てた位置に保持されるため、天秤１ｃが回転した場合であっても、ハリスの絡まりを十分に防止することができる。
【００８８】
一方、天秤１ｃでは、短寸脚部１０ｂの端部に設けられた環状部１１ａに、介装具の糸部材９０を挿通させ、また、長寸脚部１０ｃに設けた挿通部１１ｂに、クッション部材７０を挿通させるため、クッション部材７０に連結させたハリスＨに固定された釣針ＦＨに魚が掛かった場合であっても、その魚重が天秤１ｃに殆ど印加されない。そのため、魚重による天秤１ｃの変形を回避することができ、より大型の魚を釣り上げることができる。また、天秤１ｃを繰り返し使用することもでき、天秤１ｃの寿命が長い。
【符号の説明】
【００８９】
１    釣用天秤
２    取付部
３    係合部
３ｃ  係合部
１０    本体
１１ａ  環状部
１１ｂ  挿通部（他の環状部）
３１    止部材
３２    連結部材
３２ａ  連結本体
３２ｂ  環状部
３３    係合部材
３３ａ  環状部
３３ｃ  係合部分
５０    リール
Ｍ    道糸
Ｒ    竿
Ｈ    ハリス
ＦＨ    釣針
【図１】
0003226086.tif 000003
【図２】
0003226086.tif 000004
【図３】
0003226086.tif 000005
【図４】
0003226086.tif 000006
【図５】
0003226086.tif 000007
【図６】
0003226086.tif 000008
【図７】
0003226086.tif 000009
【図８】
0003226086.tif 000010
【図９】
0003226086.tif 000011
【図１０】
0003226086.tif 000012
【図１１】
0003226086.tif 000013
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
条材を線分状又はＬ字状に成形してなる本体と、該本体の一端部側に設けられ、寄せ餌を格納させる籠を取り付けるための取付部と、該取付部から前記本体の他端部側へ距離を隔てた位置に設けられ、該他端部から距離を隔てて配設される釣針を係合させる係合部とを備えることを特徴とする釣用天秤。
【請求項２】
条材を線分状又はＬ字状に成形してなる本体と、該本体の一端部側に設けられ、寄せ餌を格納させる籠を取り付けるための取付部と、該取付部より本体の他端部側に設けられ、該他端部から距離を隔てて配設される釣針を係合させる係合部とを備え、
該係合部はその基端側を前記本体に外嵌させて、本体の中心軸周りに回動自在に構成してある
ことを特徴とする釣用天秤。
【請求項３】
前記係合部は、フック状の係合部材と、該係合部材を本体に連結する連結本体と、該連結本体が前記本体の長手方向へ移動することを防止する一対の止部材とを具備しており、
前記連結本体はその一端側を前記本体に外嵌させて、本体の中心軸周りに回動自在に取り付けてあり、
前記係合部材は連結本体に揺動自在に取り付けるための環状部を具備する
請求項２記載の釣用天秤。
【請求項４】
前記連結本体は板状片にて構成してあり、連結本体の少なくとも一ヵ所には、前記本体の外径より適宜寸法大きい内径の環状部が設けてあり、前記本体は当該環状部内を挿通させてある請求項３記載の釣用天秤。
【請求項５】
前記連結本体は、柱状体の両端にそれぞれ配設した環体を柱状体の中心軸周りに回動自在に軸支して構成してあり、少なくとも一方の環体の内径は、前記本体の外径より適宜寸法大きくしてあり、前記本体は当該環体内を挿通させてある請求項３記載の釣用天秤。
【請求項６】
前記本体の取付部と係合部との間の寸法は、取付部に取り付ける籠の長さ寸法以上になしてある請求項２から５のいずれかに記載の釣用天秤。
【請求項７】
条材をＬ字状に成形して短寸脚部と長寸脚部とを設けてなる本体と、該本体の角部に設けられ、寄せ餌を格納させる籠を取り付けるための取付部と、前記短寸脚部の先端に設けられた環状部と、前記長寸脚部の長手方向の中途位置に設けられた他の環状部と、前記本体の長寸脚部の先端部に設けられ、前記環状部から他の環状部を通過した先に配設される釣針を係合させる係合部とを備えることを特徴とする釣用天秤。
【請求項８】
前記長寸脚部の取付部と他の環状部との間の寸法は、取付部に取り付ける籠の長さ寸法以上になしてある請求項７記載の釣用天秤。